(57)【要約】【課題】装着時に位置合わせを容易に行うことができる失禁パッド、尿パッド等の吸収性物品を提供する。【解決手段】吸収性物品６は、吸収性物品６は、透液性のトップシート１と、バックシート２と、トップシート１とバックシート２の間に介在される吸収体３と、吸収体３の長手方向両側縁近傍において長手方向に沿ってバックシート２を覆うように配置された立体ギャザー４と、から成り、吸収性物品６の幅方向の両側から表面側に巻き込まれたバックシート２の両側端７ａ、７ｂから表面内方向に向かって、線形状の長手方向の位置合わせ用目印７が長手方向に一定間隔に形成される。図示されない紙おむつと併用する際の長手方向の位置合わせ用の目印となり、交換時の手間を削減できると共に、装着時のズレを防止することができ、尿、便等の漏れを確実に防止することができる。【選択図】図１
2005287791.tif 000002
【特許請求の範囲】
【請求項１】
透液性のトップシートと、
バックシートと、
前記トップシートと前記バックシートの間に介在される吸収体と、
前記吸収体の長手方向両側縁近傍において前記長手方向に沿って前記バックシートを覆うように配置された立体ギャザーと、から成り、
バックシートの巻き込み部には前記長手方向の位置合わせ用目印が形成されていることを特徴とする吸収性物品。
【請求項２】
前記バックシートは着色され、前記立体ギャザーの幅方向の途中まで巻き込まれ前記幅方向の位置合わせ用目印となる請求項１記載の吸収性物品。
【請求項３】
前記幅方向の位置合わせ用目印および前記長手方向の位置合わせ用目印は、紙おむつと併用する際の目印となる請求項１記載の吸収性物品。
【請求項４】
前記バックシートは前記長手方向の途中に切り込みが設けられ前記長手方向の位置合わせ用目印となる請求項１記載の吸収性物品。
【請求項５】
前記長手方向の位置合わせ用目印は、紙おむつの中央部に合わせ易い目印である請求項１記載の吸収性物品。
【発明の詳細な説明】
【技術分野】
【０００１】
本発明は、使い捨て失禁パッド、尿パッド等の吸収性物品に関する。
【背景技術】
【０００２】
従来、例えば、特開２００３−９３４３８号公報（特許文献１）で、透液性トップシートと不透液性バックシートと、これらの間に配置された吸収体とから成り、一見して前後が判別可能で、装着ミスを起こしにくいように不透液性バックシートに印刷を施す使い捨て失禁パッド、尿パッド等の吸収性物品が提案されている。
また、例えば、特開２００２−２９１７８６号公報（特許文献２）で、同様の目的で立体ギャザーに着色した素材を用いる吸収性物品も既に存在している。
【特許文献１】特開２００３−９３４３８号公報
【特許文献２】特開２００２−２９１７８６号公報
【発明の開示】
【発明が解決しようとする課題】
【０００３】
そこで、本発明は、装着時に位置合わせを容易に行うことができる失禁パッド、尿パッド等の吸収性物品を提供することを目的とする。
【課題を解決するための手段】
【０００４】
請求項１の本発明は、透液性のトップシートと、
バックシートと、
前記トップシートと前記バックシートの間に介在される吸収体と、
前記吸収体の長手方向両側縁近傍において前記長手方向に沿って前記バックシートを覆うように配置された立体ギャザーと、から成り、
バックシートの巻き込み部には前記長手方向の位置合わせ用目印が形成されていることを特徴とする吸収性物品である。
【０００５】
請求項２の本発明は、前記バックシートは着色され、前記立体ギャザーの幅方向の途中まで巻き込まれ前記幅方向の位置合わせ用目印となる請求項１記載の吸収性物品である。
【０００６】
請求項３の本発明は、前記幅方向の位置合わせ用目印および前記長手方向の位置合わせ用目印は、紙おむつと併用する際の目印となる請求項１記載の吸収性物品である。
【０００７】
請求項４の本発明は、前記バックシートは前記長手方向の途中に切り込みが設けられ前記長手方向の位置合わせ用目印となる請求項１記載の吸収性物品である。
【０００８】
請求項５の本発明は、前記長手方向の位置合わせ用目印は、図示されない紙おむつの中央部に合わせ易い目印である請求項１記載の吸収性物品である。
【発明の効果】
【０００９】
請求項１の本発明によれば、図１、図２に示されるように、吸収性物品６は、透液性のトップシート１と、バックシート２と、トップシート１とバックシート２の間に介在される吸収体３と、吸収体３の長手方向両側縁近傍において長手方向に沿ってバックシート２を覆うように配置された立体ギャザー４と、から成り、バックシート２の巻き込み部には長手方向の位置合わせ用目印７が形成される。
これにより図示されない紙おむつと併用する際の長手方向の位置合わせ用目印７となり、図示されない紙おむつの長手方向の適正な位置に吸収性物品６を迅速かつ確実に装着可能となる。
このため、交換時の手間を削減できるようになると共に、装着時のズレを防止することができ、尿、便等の漏れを確実に防止することができる。
【００１０】
請求項２の本発明によれば、図３、図４に示されるように、バックシート２は着色され、立体ギャザー４の幅方向の途中まで巻き込まれ、位置合わせ用目印となる。これにより図示されない紙おむつに設けられる幅方向の位置合わせ用目印にバックシート２の着色端部１０を合わせることにより図示されない紙おむつの幅方向の適正な位置に吸収性物品６を迅速かつ確実に装着可能となる。
このため、交換時の手間を削減できるようになる
【００１１】
請求項３の本発明によれば、図３に示されるように、幅方向の位置合わせ用目印１０および長手方向の位置合わせ用目印７は、図示されない紙おむつと併用する際の目印となる。図示されない紙おむつの長手方向および幅方向の適正な位置に吸収性物品６を迅速かつ確実に装着可能となる。
このため、交換時の手間を削減できるようになる。
【００１２】
請求項４の本発明によれば、図３に示されるように、バックシート２は長手方向の途中に切り込み５が設けられ位置合わせ用の目印となる。
これにより図示されない紙おむつに設けられる長手方向の位置合わせ用目印にバックシート２の切り込み５を合わせることにより図示されない紙おむつの長手方向の適正な位置に迅速かつ確実に装着可能となる。
これにより図示されない紙おむつと併用する際の長手方向の位置合わせ用の目印となり、図示されない紙おむつの長手方向の適正な位置に吸収性物品６を迅速かつ確実に装着可能となる。
このため、交換時の手間を削減できるようになる。
【００１３】
請求項５の本発明によれば、図１、図３に示されるように、長手方向の位置合わせ用目印７は、図示されない紙おむつの中央部に合わせ易い目印である。これにより図示されない紙おむつと併用する際の長手方向の中央部の位置合わせ用目印７となり、図示されない紙おむつの長手方向の適正な位置に吸収性物品６を迅速かつ確実に装着可能となる。
このため、交換時の手間を削減できるようになる。
【発明を実施するための最良の形態】
【００１４】
以下、本発明を、その実施例に基づいて、図面を参照して説明する。
【実施例１】
【００１５】
図１、図２に示されるように、本発明の吸収性物品６は、不織布等からなる透液性のトップシート１と、ポリエチレン等からなるバックシート２の間に、綿状パルプ等の吸収体３を介在させた構造である。なお、本発明の対象となる紙おむつ型式は、テープ式紙おむつ、パンツ式紙おむつのいずれでも良く、かつ装着対象者も大人用、ベビー用のいずれでも良い。以下、吸収性物品６について詳述する。
【００１６】
吸収体３は、図１、図２に示されるように、方形に成形されたものが使用されているが、着用状況に合わせて略砂時計形状のものも可能である。その幅寸法は股間部への当たりによって着用者にゴワ付き感を与えない寸法幅となっている。この吸収体３は、形状保持とトップシート１を透過した体液の拡散性向上のためにクレープ紙（図示せず）によって囲繞されている。
【００１７】
吸収体の表面側（肌当接面側）を覆うトップシート１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。トップシート１に多数の透孔を形成した場合には、尿などが速やかに吸収されるようになりドライタッチ性に優れたものとなる。
図２に示されるように、トップシート１は、吸収体３の側縁より若干外方に延在し、この延在部分がバックシート２にホットメルト接着剤等により固着されている。
【００１８】
ポリシートのみ、ポリシートおよび不織布、或いは不織布のみから成るバックシート２は、図２に示されるように、吸収体３の裏面側（非肌当接面側）を覆い、さらに両側部が吸収性物品６の表面側に巻き込まれ、立体ギャザー４の幅方向の途中の所定位置まで延在する。バックシート２の材質は、ポリエチレンまたはポリプロピレンなどのプラスチックシートなどが用いられるが、近年はムレ防止の点から透湿性を有するものが好適に用いられる。この遮水・透湿性シートは、たとえばポリエチレンやポリプロピレン等などのオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。バックシート２の前端部１１および後端部１２では、吸収体３の存在しないエンドフラップ部１１ａ、１２ａが形成され、同様に両側部では吸収体３の存在しないサイドフラップ部１１ｂ、１２ｂが形成されている。
【００１９】
吸収性物品６の表面側両側部には、トップシート１の側部を覆うとともに、バックシート２の側縁を超えてバックシート２を覆うように所定の幅位置まで延在する立体ギャザー４が配設されている。すなわち、立体ギャザー４の内方側が二重に折り返され、この折返し部分に弾性伸縮部材８が配設され、内方側シート部分が弾性伸縮部材８の伸縮力を利用して表面側に起立するようになっている。
この弾性伸縮部材８は、足回りの隙間を無くし漏れを無くすためのものである。
また、図５に示されるように、吸収性物品６の裏面１３のバックシート２の所定位置には、本吸収性物品６を装着対象である図示されない紙おむつの表面側に装着（接着）するために、粘着剤、面ファスナーなどの接合手段１５が設けられ、この上面に接合手段を保護する剥離紙１４が貼られている。
【００２０】
次に、バックシート２は、図１、図２に示されるように、吸収性物品６の幅方向の両側から表面側に巻き込まれたバックシート２の両側端７ａ、７ｂから表面内方向に向かって、線形状の長手方向の位置合わせ用目印７が長手方向に一定間隔に形成される。位置合わせ用目印７は所定の寸法で設けられる。又、設置の形態は、印刷、他の部材の貼り付け、切り込み等得に限定されない。  
これにより図示されない紙おむつと併用する際の長手方向の位置合わせ用目印７となり、図示されない紙おむつの長手方向の適正な位置に吸収性物品６を迅速かつ確実に装着可能となる。
このため、交換時の手間を削減できるようになると共に、装着時のズレを防止することができ、尿、便等の漏れを確実に防止することができる。
【００２１】
本発明の吸収性物品６は、単独にて身体の一部に装着して使用することができる。即ち、図１において、吸収性物品６の長手方向の前端部１１、後端部１２の各々を長手方向の中央部を境にして起立させ漏斗状の形状とし、更に図５に示されるように、吸収性物品６の裏面１３のバックシート２に設けられる保護シート１５を剥がして露出した粘着剤、面ファスナー等の接合手段１４を使用して、漏斗状の形状を保持させることができる。主に男性の排尿に供する効果を奏する。
【実施例２】
【００２２】
図３、図４に示されるように、本発明の吸収性物品６は、不織布等からなる透液性のトップシート１と、ポリエチレン等からなるバックシート２の間に、綿状パルプ等の吸収体３を介在させた構造である。なお、本発明の対象となる紙おむつ型式は、テープ式紙おむつ、パンツ式紙おむつのいずれでも良く、かつ装着対象者も大人用、ベビー用のいずれでも良い。以下、吸収性物品６について詳述する。
【００２３】
吸収体３は、図３、図４に示されるように、方形に成形されたものが使用されているが、着用状況に合わせて略砂時計形状のものも可能である。その幅寸法は股間部への当たりによって着用者にゴワ付き感を与えない寸法幅となっている。この吸収体３は、形状保持とトップシート１を透過した体液の拡散性向上のためにクレープ紙（図示せず）によって囲繞されている。
【００２４】
吸収体の表面側（肌当接面側）を覆うトップシート１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。トップシート１に多数の透孔を形成した場合には、尿などが速やかに吸収されるようになりドライタッチ性に優れたものとなる。
図４に示されるように、トップシート１は、吸収体３の側縁より若干外方に延在し、この延在部分がバックシート２にホットメルト接着剤等により固着されている。
【００２５】
ポリシートのみ、ポリシートおよび不織布、或いは不織布のみから成るバックシート２は、図４に示されるように、吸収体３の裏面側（非肌当接面側）を覆い、さらに両側部が吸収性物品６の表面側に巻き込まれ、立体ギャザー４の幅方向の途中の所定位置まで延在する。バックシート２の材質は、ポリエチレンまたはポリプロピレンなどのプラスチックシートなどが用いられるが、近年はムレ防止の点から透湿性を有するものが好適に用いられる。この遮水・透湿性シートは、たとえばポリエチレンやポリプロピレン等などのオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。バックシート２の前端部１１および後端部１２では、吸収体３の存在しないエンドフラップ部１１ａ、１２ａが形成され、同様に両側部では吸収体３の存在しないサイドフラップ部１１ｂ、１２ｂが形成されている。
【００２６】
吸収性物品６の表面側両側部には、トップシート１の側部を覆うとともに、バックシート２の側縁を超えてバックシート２を覆うように所定の幅位置まで延在する立体ギャザー４が配設されている。すなわち、立体ギャザー４の内方側が二重に折り返され、この折返し部分に弾性伸縮部材８が配設され、内方側シート部分が弾性伸縮部材８の伸縮力を利用して表面側に起立するようになっている。
この弾性伸縮部材８は、足回りの隙間を無くし漏れを無くすためのものである。
また、図５に示されるように、吸収性物品６の裏面１３のバックシート２の所定位置には、本吸収性物品６を装着対象である図示されない紙おむつの表面側に装着（接着）するために、粘着剤、面ファスナーなどの接合手段１５が設けられ、この上面に接合手段を保護する剥離紙１４が貼られている。
【００２７】
バックシート２は、上述の材質材料が所与の色に着色されているか、或いは所与の色の有色材料が用いられる。
即ち、図３、図４に示されるように、吸収性物品６の幅方向の両側から表面側に巻き込まれたバックシート２の各々の着色端部１０は、着色領域９の見切り線を成し、装着対象である図示されない紙おむつに設けられる幅方向の位置合わせ用目印の各々に対応する幅方向の位置合わせ用目印となる。尚、バックシート２の着色端部１０の位置は、表面側から視認できるものであれば良く、立体ギャザー４の幅方向の途中であれば限定されない。又、各々の着色端部１０に長手方向に縦断する線状の目印を設けて位置決めを更に視認し易くすることも可能である。
これにより図示されない紙おむつに設けられる幅方向の位置合わせ用目印に、吸収性物品６のバックシート２の着色端部１０に合わせることにより図示されない紙おむつの幅方向の適正な位置に吸収性物品６を迅速かつ確実に装着可能となる。
このため、交換時の幅方向の装着位置決めの手間を削減できるようになると共に、装着時のズレを防止することができ、尿、便等の漏れを確実に防止することができる。
【００２８】
次に、図３に示されるように、吸収性物品６の幅方向の両側から表面側に巻き込まれたバックシート２の着色端部１０から吸収性物品６の側部に向かって略Ｖ字状の切欠き５が設けられ、装着対象である図示されない紙おむつに設けられる長手方向の位置合わせ用目印に対応する長手方向の位置合わせ用の目印となる。吸収性物品６の表面側の幅方向において対向するバックシート２の他方の着色端部１０についても同様にして成る。略Ｖ字状の切欠き５の形状、配設される位置、及び数量は限定されない。着色端部１０に設けられる長手方向の位置合わせ用目印は、線による印刷が最も簡易で望ましいが、着色端部１０は長手方向の凹凸が生じやすく位置合わせ用目印の線が視認し難い等の欠点がある。
又、長手方向の位置合わせ用の目印の形態は、略Ｖ字状の切欠き５に限定されるものでなく、印刷や、他の部材の貼り付け等も可能である。
これにより図示されない紙おむつに設けられる長手方向の位置合わせ用目印に、バックシート２の着色された着色端部１０を合わせることにより図示されない紙おむつの長手方向の適正な位置に吸収性物品６を迅速かつ確実に装着可能となる。
このため、交換時の長手方向の装着位置決めの手間を削減できる。
【００２９】
本発明の吸収性物品６は、単独にて身体の一部に装着して使用することができる。即ち、図３において、吸収性物品６の長手方向の前端部１１、後端部１２の各々を長手方向の中央部を境にして起立させ漏斗状の形状とし、更に図３に示されるように、吸収性物品６の裏面１３のバックシート２に設けられる保護シート１５を剥がして露出した粘着剤、面ファスナー等の接合手段１４を使用して、漏斗状の形状を保持させることができる。主に男性の排尿に供する効果を奏する。
【産業上の利用可能性】
【００３０】
本発明は、装着時に位置合わせを容易に行うことができる失禁パッド、尿パッド等の吸収性物品であり、装着対象となるおむつ型式は、テープ式おむつ、パンツ式おむつのいずれでも良く、かつ装着対象者も大人用、ベビー用のいずれにも適用可能である。又、吸収性物品単独にても男性の排尿に供することも可能である。
【図面の簡単な説明】
【００３１】
【図１】本発明の吸収体物品の実施例１の斜視図である。
【図２】図１のＡＡ視断面図である。
【図３】本発明の吸収体物品の実施例２の斜視図である。
【図４】図３のＢＢ視断面図である。
【図５】本発明の吸収体物品の実施例１〜２の裏面側の斜視図である。
【符号の説明】
【００３２】
１  トップシート        ２  バックシート            ３  吸収体
４  立体ギャザー        ５  略Ｖ字状の切欠き        ６  吸収性物品
７  長手方向位置合わせ用目印    ８  弾性伸縮部材    ９  着色領域          １０  着色端部          １１  前端部                １２  後端部            １１ａ、１２ａ  エンドフラップ部    １１ｂ、１２ｂ  サイドフラップ部    １３  裏面              １４  接合手段              １５  保護シート
【図１】
2005287791.tif 000003
【図２】
2005287791.tif 000004
【図３】
2005287791.tif 000005
【図４】
2005287791.tif 000006
【図５】
2005287791.tif 000007